(57)【要約】      （修正有）【課題】セロテープ（登録商標）引出し時後に起こるテープ引出し端部のテープ本体ロール外周辺面への巻き付き付着の主因となるリールのテープ引出し反対方向への回転を防止する巻き付き防止機能付きセロテープカッターを提供する。【解決手段】セロテープカッターのリール軸に一方向クラッチを装着させ、当該リールをテープ引出し方向回転するようにセットし、テープ引出し時後に起こるテープ引出し端部のテープ本体ロール外周辺面への巻き付き付着の主因となるリールのテープ引出し反対方向への回転を防止する。【選択図】図１
2018108891.tif 000002
【特許請求の範囲】
【請求項１】
セロテープカッターのリール軸に一方向クラッチを装着させ、当該リールをテープ引出し方向回転するようにセットし、テープ引出し時後に起こるテープ引出し端部のテープ本体ロール外周辺面への巻き付き付着の主因となるリールのテープ引出し反対方向への回転を防止する巻き付き防止機能付きセロテープカッター。
【請求項２】
セロテープ引出し時後にテープ引出し端部が切断刃隣接のセロテープ留部を剥離脱し、そのままリールがテープ引出し方向に回転したときに、当該テープ引出し端部がテープ本体ロール外周辺面に付着し、回転すると伴にセロテープカッター内部への入り込みを防止するため、セロテープ巻き戻し受部をセロテープ本体ロール外周辺面のセロテープ剥離点下方に位置するセロテープカッター本体上面に装着またはセロテープカッター本体の形状を上記仕様にした請求項１の巻き付き防止機能付きセロテープカッター。
【発明の詳細な説明】
【技術分野】
【０００１】  本発明は、セロテープカッターのリール軸に一方向クラッチを装着させ、当該リールをテープ引出し方向回転するようにセットし、セロテープ引出し時後に起こるテープ引出し端部のテープ本体ロール外周辺面への巻き付き付着の主因となるリールのテープ引出し反対方向への回転を防止する巻き付き防止機能付きセロテープカッターに関する。
【背景技術】
【０００２】  セロテープカッターからセロテープを引出し使用した時または後で、セロテープ端部が切断刃に隣接したセロテープ留部から剥離脱してしまうことがある。その後、剥離脱したセロテープ端部がテープ引出し方向ではない方向にリールが逆回転したときにセロテープ本体ロール外周辺面に巻き付き付着することがあり、その状態を元に戻すためにはセロテープ端部をテープ本体ロール外周辺面から剥離しなければならず、その作業に手間取ることがある。【０００３】  セロテープカッターを家庭で使用するときは、比較的に前記剥離作業に時間的余裕があるので少々不便さを感じる程度と思われる。しかし、食品スーパーやドラッグストアー等においては、不特定多数の顧客自らがセロテープカッターを使用するので、当該セロテープ本体ロール外周辺面への巻き付き付着が家庭で使用するときよりも格段に多く発生しそれが複数箇所であった場合、元の状態に戻すため時間と労力を要し、何よりも顧客に不便さを強いる結果を招いてしまう。
【先行技術文献】
【特許文献】
【０００４】
【特許文献１】実用新案登録番号第３０９２１７６号
【非特許文献】
【０００５】
【非特許文献１】トラスコ中山株式会社製テープカッター（スチール製）、平成２９年１月３日検索、インターネット＜ＵＲＬ：ｈｔｔｐ：／／ｗｗｗ．ｏｒａｎｇｅ−ｂｏｏｋ．ｃｏｍ／ｄｅｔａｉｌ／ｏｂｗｆｋ５３０１０／ｉｎｄｅｘ／ａｒｔｉｃｌｅ＿ｃｄ：ＴＥＴ１１７Ａ＞
【０００６】  セロテープ本体ロール外周辺面への巻込み付着の主因他のリール部逆回転防止のための先行技術・考案としては、以上のようなものがある。【０００７】  特許文献１は、リール軸ではなくセロテープ切断部近くにテープ巻戻し逆転機構を具備したものであるが、構造が複雑なため部品点数が多くその分コストアップになると推認される。【０００８】  非特許文献１は、セロテープ本体ロール外周辺面のセロテープ離剥点と切断刃との間にテープ支持部を設け、セロテープ引出し時後にテープ引出し端部が切断刃隣接のセロテープ留部を剥離脱した場合であっても、支持部にテープが付着されているのでストッパー的役割を果たし、テープ本体ロール外周辺面への巻き付き付着は起こらない。しかし、その分セロテープカッター本体が大きくなってしまう。
【発明の概要】
【発明が解決しようとする課題】
【０００９】  本発明は、構造が簡単で且つコンパクト化を可能にした、セロテープ引出し時後に起こるテープ引出し端部のテープ本体ロール外周辺面への巻き付き付着を防止するセロテープカッターを提供するものである。【００１０】  その方法として、セロテープカッターのリール軸に一方向クラッチ（ワンウェイクラッチともいう）を装着させ、当該リールをテープ引出し方向回転するようにセットし、テープ引出し時後に起こるテープ引出し端部のテープ本体ロール外周辺面への巻き付き付着の主因となるリールのテープ引出し反対方向への回転を防止できるようにした。
【課題を解決するための手段】
【００１１】  請求項１の発明は、セロテープカッターのリール軸に一方向クラッチを装着させ、当該リールをテープ引出し方向回転するようにセットし、テープ引出し時後に起こるテープ引出し端部のテープ本体ロール外周辺面への巻き付き付着の主因となるリールのテープ引出し反対方向への回転を防止する巻き付き防止機能付きセロテープカッターである。【００１２】  請求項２の発明は、セロテープ引出し時後にテープ引出し端部が切断刃隣接のセロテープ留部を剥離脱し、そのままリールがテープ引出し方向に回転したときに、当該テープ引出し端部がテープ本体ロール外周辺面に付着し、回転すると伴にセロテープカッター内部への入り込みを防止するため、セロテープ巻き戻し受部をセロテープ本体ロール外周辺面のセロテープ剥離点下方に位置するセロテープカッター本体上面に装着またはセロテープカッター本体の形状を上記仕様にした請求項１の巻き付き防止機能付きセロテープカッターである。
【発明の効果】
【００１３】  本発明によれば、セロテープカッターのリール軸に一方向クラッチを装着させ、当該リールをテープ引出し方向回転するようにセットし、テープ引出し時後に起こるテープ引出し端部のテープ本体ロール外周辺面への巻き付き付着の主因となるリールのテープ引出し反対方向への回転を防止できるようになる。【００１４】  食品スーパーやドラッグストアー等での使用を想定した場合、一般家庭での使用と比べ不特定多数の人が使用するため、セロテープカッターを乱雑に取り扱う傾向にあり、使用頻度も格段に高い。当然の結果として、当該セロテープ本体ロール外周辺面への巻き付き付着が発生する頻度も高まる。本発明の実施により、当該状況の復帰作業、つまり顧客や従業員によるテープ剥離作業等に費やす時間と労力をなくす有用な効果がもたらされる。
【図面の簡単な説明】
【００１５】
【図１】  本発明の請求項１の巻き付き防止機能付きセロテープカッターの側面概要図である。
【００１６】
【図２】  本発明の請求項１の巻き付き防止機能付きセロテープカッターの上面概要図である。
【００１７】
【図３】  本発明の請求項２の巻き付き防止機能付きセロテープカッターの側面概要図である。
【００１８】
【図４】  本発明の請求項２の巻き付き防止機能付きセロテープカッターの図３とは別の態様の側面概要図である。
【００１９】
【図５】  本発明の請求項１の巻き付き防止機能付きセロテープカッターの一方向クラッチと一体化したリール軸がテープカッター本体の挿入溝への降下セットの態様を示した側面部位概要図である。
【発明を実施するための形態】
【００２０】  セロテープカッターのリール軸に一方向クラッチを装着させ、当該リールをテープ引出し方向回転するようにセットし、テープ引出し時後に起こるテープ引出し端部のテープ本体ロール外周辺面への巻付き付着の主因となるリールのテープ引出し反対方向への回転を防止する。
【実施例１】
【００２１】  本発明の請求項１の巻き付き防止機能付きセロテープカッターの実施態様を説明する。
図１は、本発明の請求項１の巻き付き防止機能付きセロテープカッターの側面概要図である。図２は、請求項１の巻き付き防止機能付きセロテープカッターの上面概要図である。図５は、本発明の請求項１の巻き付き防止機能付きセロテープカッターの一方向クラッチと一体化したリール軸がテープカッター本体の挿入溝への降下セットの態様を示した側面部位概要図である【００２２】  セロテープカッター本体１のリール３のリール軸５に一方向クラッチ４を装着させる。一方向クラッチ４は、製品化（市販）されている金属製や樹脂製等のものを利用する。【００２３】  次にセロテープ２を装着したリール３をテープ引出し方向に回転（以下正転という）するようにセットする。その際、セット方向を間違えないようにするには、正転方向手前から見てリール軸５の左右端部に目印（色や記号等）を付け、セロテープカッター本体１のリール軸５の左右の挿入溝９の入口付近にも同様な目印を付けたり、左右のリール軸５先端部を異なった形状とする。【００２４】  別の方法として、一方向クラッチ４またはリール３のいずれか、または両方の左右両側面に矢印をイラスト表記してもよい。【００２５】  図５に示す通り、リール軸５の先端部位は円柱状ではなく、挿入溝９の底端に達したときに固定され回転しないよう両端（２カ所）円弧状の部位を削った形状または四角形とする。【００２６】  挿入溝９の挿入幅は、両端（２カ所）円弧状の部位を削った分だけリール軸先端部位の断面円直径より短くした長さとする。【００２７】  回転しないよう固定されたリール軸５に一方向クラッチ４を装着せることにより、固定されたリール軸５を中心に一方向クラッチ４と一体化したリール３が正転することになる。【００２８】  通常使用の場合、セロテープ２の端部を引出し、切断刃７でカットした後、セロテープ２本体から見て先端部はセロテープ留部に付着し、次の使用のための待機状態になる。【００２９】  しかし、セロテープ引出し時後に何らかの事由、例えばカット作業が乱雑であったり、セロテープ留部６上面に埃が付着していた、セロテープ自体が経年劣化し粘着力が弱くなっていた等の事由で、セロテープ２の端部がセロテープ留部６から剥離脱し、テープ引出し端部のセロテープ２本体ロール外周辺面への巻込み付着の原因となる条件が成立する。【００３０】  このような条件下であっても、リール３がテープ引出し反対方向への回転（以下逆回転という）を防止する一方向クラッチ４の作用により逆回転せず、それがテープ引出し端部のセロテープ２本体ロール外周辺面への巻付き付着を防止することになる。
【実施例２】
【００３１】  本発明の請求項２の巻込み防止仕様のセロテープカッターの実施態様を説明する。
図３は、本発明の請求項２の巻込み防止仕様のセロテープカッターの側面概要図である。【００３２】  セロテープ２引出し端部のセロテープ２本体ロール外周辺面への巻き付き付着の多くはリール３の逆回転に伴い発生する。【００３３】  しかし、希にリール３の正転のときにも発生することがある。また、巻き付き付着がなくとも、セロテープ２端部がリール３正転の際にセロテープカッター本体１のセロテープ２収納下部（以下テープ収納下部という。図示せず）に入り込み取り出しにくくなってしまうことがある。【００３４】  セロテープ２引出し時後に起こるテープ引出し端部が刃７隣接のセロテープ留部６を剥離脱し、そのままリール３が正転したときに当該セロテープ２の引出し端部がセロテープ２本体ロール外周辺面に付着し、リール３が正転すると伴にテープ収納下部への入り込みを防止するため、セロテープ受部８をセロテープ２本体ロール外周辺面のセロテープ剥離点１１下方に位置するセロテープカッター本体１上面に装着する。【００３５】  図４は、請求項２の巻き付き防止機能付きセロテープカッターの図３とは別の態様の側面概要図である。【００３６】  尚、セロテープ受部８に変えて、セロテープカッター本体１自体を上記仕様となるようセロテープ受部仕様加工１０としてもよい。
【産業上の利用可能性】
【００３７】以上のように、セロテープカッターのリール軸に一方向クラッチ仕様することによって、テープ引出しのときに起こるテープ引出し端部のテープ本体ロール外周辺面への巻き付き付着を回避する効果が期待できるようになる。
【符号の説明】
【００３８】  １  セロテープカッター本体
２  セロテープ
３  リール
４  一方向クラッチ（ワンウェイクラッチ）
５  リール軸
６  セロテープ留部
７  切断刃
８  セロテープ受部
９  挿入溝
１０  セロテープ受部仕様加工
１１  セロテープ剥離点
【図１】
2018108891.tif 000003
【図２】
2018108891.tif 000004
【図３】
2018108891.tif 000005
【図４】
2018108891.tif 000006
【図５】
2018108891.tif 000007